(57)【要約】    少なくも透明バイザー部分が形成された可撓性材料製の気体不透過性フード；濾過器及び空気を強制して濾過器を通過させかつフード内に正の圧力を作る動力作動式の送風機を有する気体処理ユニット；排出気体及び水分のフードからの排出を容易にする一方向排出弁；及び使用者の身体部分上にフードを気密に確保するための封鎖用部分を備え、呼吸用フード組立体が容器内にコンパクトに受け入れられかつ自動的に作動状態に展開するように設計され、これにより使用者に有毒の気体及び粒状物質からの保護を提供する正圧式呼吸用フード組立体である。
2005511260.tif 000002
【特許請求の範囲】
【請求項１】
可撓性材料で作られ、少なくも透明なバイザー部分が形成された気体不透過性のフード；濾過器及び空気を強制して濾過器を通過させかつフード内の正の圧力を作る動力作動式の送風器を有する気体処理ユニット；排出気体及び水分のフードからの排出を容易にするための一方向排出弁；及び使用者の身体部分上でフードを封鎖し確保するための封鎖用部分を備え、呼吸用フード組立体が、容器内に緊密に受け入れられ更に自動的に作動状態に展開されるように設計され、これにより使用者に、有毒気体及び特定物質からの保護が提供される正圧式呼吸用フード組立体。
【請求項２】
容器が、呼吸用フードを作動状態に展開するための活性化機構の部分である請求項１による呼吸用フード組立体。
【請求項３】
身体部分が使用者の頸部部分であり、封鎖部分が弾性材料で作られ頸部と組み合っているカラーである請求項１による呼吸用フード組立体。
【請求項４】
封鎖部分が、使用者の頭部の上方で容易に引かれかつフード着用後は使用者の頸部の周りに気密適合するようにデザインされた請求項１による呼吸用フード組立体。
【請求項５】
身体部分が使用者の胴部でありかつ封鎖部分が胴部と組み合いかつ封鎖するラップである請求項１による呼吸用フード組立体。
【請求項６】
封鎖用ラップが使用者の胴部上で弾性係合するようにされた請求項５による呼吸用フード組立体。
【請求項７】
呼吸用フードが動物用にも適する請求項１による呼吸用フード組立体。
【請求項８】
気体処理ユニットの活性化用スイッチと関節式に連結された少なくも１個の分離可能な部材を備え、これにより部材を分離させることが動力作動式の送風機を活性化させる請求項１による呼吸用フード組立体。
【請求項９】
少なくも１個の分離可能な部材が再挿入可能であり、これにより動力作動式の送風機が作動停止される請求項８による呼吸用フード組立体。
【請求項１０】
容器が前及び後のカバーを備え、少なくもその一方が気体処理ユニットの作動用スイッチに関節式に連結される請求項２による呼吸用フード組立体。
【請求項１１】
前及び後のカバーが閉鎖位置になるように係合でき、この場合、呼吸用フード及び気体処置ユニットが容器内に気密に閉じ込められる請求項１０による呼吸用フード組立体。
【請求項１２】
分離を容易にするために、前及び後のカバーの少なくも一方にハンドルが取り付けられる請求項１０による呼吸用フード組立体。
【請求項１３】
貯蔵状態と作動状態とを有し、前記貯蔵状態において呼吸用フード及び気体処理ユニットが容器内に密閉して受け入れられ容器を開いた際に気体処理ユニットを自動的に活性化させる請求項１による呼吸用フード組立体。
【請求項１４】
容器が強固である請求項１３による呼吸用フード組立体。
【請求項１５】
気体処理ユニットが、トグル部材を介して容器のある部分に結合された活性化用スイッチを備え、これにより容器を開くことがスイッチを自動的に活性化させる請求項１３による呼吸用フード組立体。
【請求項１６】
トグル部材が、ラッチによりカバー部材の一方に取り付けられる請求項１０による呼吸用フード組立体。
【請求項１７】
容器を開いた際にラッチが破壊する請求項１０による呼吸用フード組立体。
【請求項１８】
有毒の気体、粒子、微細噴霧、又はエアゾールからの保護が吸入からの保護である請求項１による呼吸用フード組立体。
【請求項１９】
有毒の気体、粒子、微細噴霧、又はエアゾールからの保護が接触からの保護である請求項１による呼吸用フード組立体。
【請求項２０】
気体処理ユニットの活性化が機械的手段により自動的である請求項１による呼吸用フード組立体。
【請求項２１】
組立体が、パース又は書類カバン内で容易かつ便利に運ばれ及び／又は使用者の近くに貯蔵される請求項１による呼吸用フード組立体。
【請求項２２】
組立体が標準の事務用書類カバン内に適合する請求項１による呼吸用フード組立体。
【請求項２３】
組立体が３歳以上の全てに適合する１サイズとしてデザインされた請求項１による呼吸用フード組立体。
【請求項２４】
フードが、幼児から大きい成人までの範囲のサイズの使用者に適合するようにデザインされた請求項１による呼吸用フード組立体。
【請求項２５】
フードが、頭部又は顔面の特徴とは無関係に使用者に適合するようにデザインされた請求項１による呼吸用フード組立体。
【請求項２６】
フードが、長髪を有し又はメガネを着用した使用者に適合するようにデザインされた請求項１による呼吸用フード組立体。
【請求項２７】
気体処理ユニットが呼吸用フードに固定される請求項１による呼吸用フード組立体。
【請求項２８】
気体処理ユニットが、濾過された空気を呼吸用フード内に強制しその中の圧力を上昇させる請求項１による呼吸用フード組立体。
【請求項２９】
送風機の作動を停止できかつそのとき呼吸用フードを将来の使用のために保存することができる請求項１による呼吸用フード組立体。
【請求項３０】
動力作動式の送風機のスッチ組立体の対応部分と組み合ったとき、送風機の作動を停止させかつフードの着用を防ぐ安全つかみが設けられる請求項２９による呼吸用フード組立体。
【請求項３１】
送風機組立体のスッチ組立体が作動停止用ラッチを備え、これが、前記スッチと組み合ったとき送風機を停止させ、更にフードの向かい合った側面を互いに付け、これによりフードの着用を防ぐ請求項２９による呼吸用フード組立体。
【請求項３２】
気体処理ユニットがフードの一部分に形成され、前記部分と向かい合ったフードの頸部部分にラッチが取り付けられ、これが送風機と組み合わせられたときその作動を停止させかつフードの着用を防ぐ請求項２９による呼吸用フード組立体。
【発明の詳細な説明】
【技術分野】
【０００１】
本発明は、緊急安全装置、特に有毒環境内の人に濾過された空気を提供する呼吸用フードに関する。
【背景技術】
【０００２】
薬品の飛沫、有毒及び有害な気体の漏出、煙の充満した区域、塵埃及び煙霧、並びに化学薬品、生物の事故の場合、或いはテロ事件のような不測の事件の場合に有毒物質の人への影響から個人を保護することは政府機関及び一般大衆の両者にとって関心がある。
【０００３】
更に、ある人々の間で、ペット及び作業動物（盲導犬、家畜など）を同じ有害な影響から保護することが強く望まれている。
【０００４】
かかる事件の際は、呼吸器系、眼、及び皮膚を即座に保護することが要求され、しかもこれらの事件の多くは警告無しに生ずる。個人又は動物（本明細書及び特許請求の範囲においては、以下「使用者」と呼ぶ）を保護するために使用されるいかなる装備も容易に利用できること、即ち使用者により運ばれ又は使用者の近くに貯蔵され、そして容易に作動状態に展開し得ることが要求される。
【０００５】
工業用保護マスク、フード、及び動力付き空気呼吸装置が知られているが、これらは、適切な保護を提供するためには熟練と訓練とが必要である。これらは、かさ張り更に容易に持ち運びかつ迅速に展開するようには設計されていない。
【０００６】
有毒環境に暴露された使用者は、いかに着用しいかに動力付き空気呼吸装置のフードを作動させるかのような安全手順の訓練を受けていないことが多い。
【０００７】
現存の呼吸保護手段の大部分は、必要に迫られて数種のサイズで作られ、１サイズで成人と子供の両方には適合しない。
【０００８】
有毒又は有害の環境をもたらす突然又は不意の事件の場合は、濾過され又は浄化された空気を供給する装置を有すること、並びに頭部及び頸部の露出した皮膚に気体、液体／大粒、中粒、小粒の霧、及びエアゾールからの一応の保護を提供することが有利であることは明らかである。装置が、容易に利用でき（容易に運び及び／又は貯蔵でき）かつ身体的特徴又は体型に一致させる必要なしに使用者（成人、子供、老人、虚弱者、身体障害者、及び病人、髭、メガネ、長髪などを有する人々、及び動物）の広範囲のサイズに適することが有利である。更に、活性化及び作動が自動式であり、着用方法が自明でかつ快適であり、そして装置が意図された作動並びに小時間の使用に適していることが好ましい。装置の在庫可能時間の長いことも有利である。
【発明の開示】
【発明が解決しようとする課題】
【０００９】
従って、迅速に退避するため或いは典型的に数時間までの意図された時間、有毒な環境から使用者を保護する装置であって、折り畳み可能であり、運搬及び貯蔵が容易で、小型、軽量、快適、使用が容易で、全てに適合する１サイズであり、その着用方法が自明であり、その活性化が自動的であり、そして使用のための訓練が不要な装置を提供することが本発明の目的である。
【課題を解決するための手段】
【００１０】
本発明は、少なくも透明バイザー部分が形成された可撓性材料製の気体不透過性フード；粒子、微細噴霧、エアゾール、並びに有毒及び有害な気体など（以下有害物質」という）を濾過する濾過器、及びフード内に正の圧力を作るための動力作動式の送風機を有する気体処理ユニット；フードからの呼気と水分との排出を容易にするための一方向排出弁；及び使用者の身体部分上にフードを気密に確保するための封鎖用部分を備える正圧式呼吸用フード組立体に関連する。フード組立体は、多くの使用者がフード組立体の着用及び操作法の訓練の必要なしに、ほぼ即時に着用できるように設計され、これにより使用者は有害物質の吸入及びこれと顔面との接触から保護される。
【００１１】
呼吸用フードは容易に持ち運びできる容器内に受け入れられ、これにより容器が開かれ呼吸用フードが取り出されると、気体処理ユニットが自動的に活性化され呼吸用フードは完全に作動状態になる。呼吸用フードは折り畳みができ、小さい寸法の容器内に適合することができる。
【００１２】
フードは、気密用部分を含んで、ひげ、毛髪の長さと量、メガネなどのような顔面又は頭部の特徴にかかわらず、及び（幼児から成人までの）大きさにかかわらず男女の使用者に有毒な環境からの保護を提供する。フードのデザインにより、ペット、家畜などのような動物の保護にこれを使用することもできる。
【００１３】
本発明の一実施例によれば、封鎖用部分は弾性体の頸部封鎖具であり、別の実施例によれば、封鎖用部分は、胴部と組み合い密閉するラップである。
【００１４】
呼吸用フードは、可撓性容器内又はケース内に受け入れられた可撓性容器内の強固な容器（ケース）により運搬及び保護することができる。典型的に、呼吸用フードは、これの在庫寿命を長くするために密閉された包装内に受け入れられる。
【００１５】
呼吸用フードは、幾つかの基本的仕様、例えば子供から成人に至る個人用のもの、３歳までの別の幼児用のもの、及び更に動物用のものとして提供することができる。
【００１６】
ある特別な設計によれば、送風機の作動を停止させることができ、この場合、呼吸用フードは、将来の使用のために保存される。かかる一つの配列により安全つかみが提供され、これは、動力作動式送風機のスイッチ組立体の対応部分と組み合ったとき送風機への送電を停止させ、かつフードの着用を防ぐ。特別な一応用例によれば、安全つかみ及びスイッチ組立体は、フードの向かい合った頸部部分に伸び、これにより係合状態における着用は不可能である。
【００１７】
特別な一実施例によれば、安全つかみは、スイッチ組立体とスナップ係合するようにされたプラグ状部材の形式である。
【発明を実施するための最良の形態】
【００１８】
本発明を理解するため及び実際にこれをいかに実施するかを知るために、説明の目的だけで、付属図面を参照しその好ましい実施例が説明されるであろう。
【００１９】
本発明は、可搬型、小型であり、貯蔵が容易、運搬が容易、着用が容易、使用が容易かつ快適であり、広範囲のサイズの使用者に対して１サイズですべてに適合する方法で設計され、使用のための訓練が不要で、更に自動的に活性化し作動する呼吸用フード組立体である。
【００２０】
ここに、用語「気体」は、総称して有害物質と呼ばれ粒子、微細噴霧、エアゾール、又は滴を含む有毒及び／又は有害な気体、或いは細菌戦争用の物質と空気との混合物を指すことを意味する。
【００２１】
まず図１を参照すれば、一般に１０で示される呼吸用フードが、可撓性で気体及び液体に不透過性の材料で作られたフード１２、及びフード１２に取り付けられた気体処理ユニット１４を備えて示される。フード１２は、同様に可撓性で気体不透過性の材料で作られ、使用者１８の眼に隣接して位置決めされたバイザー１６を備える。
【００２２】
更に図１を参照すれば、シリコン、ポリウレタン、ラテックスゴムなどのような弾性材料で作られ、容易に着用できかつラッチ、ひも、結び具又は固定具などの不要なカラー又は頸部封鎖具２０の形式の密閉用部分がフード１２に取り付けられる。頸部封鎖具２０は、引っ張らない状態で幼児の首よりわずかに小さい寸法にされ、その材料は、頭髪、ひげなどの長さ又は量に関係なく、大きい成人１８の頭部より大きい寸法に容易に引っ張ることができるような材料である。更に、頸部封鎖具２０は、快適な着用に十分な広さの寸法にされる。このデザインにより、呼吸用フード１０は、訓練又は操作の教育の必要なしに広範囲の個人により数秒内に容易かつ適切に着用される。
【００２３】
図１は、頸部保護のために頸部の周りにスカート状に取り付けられ使用者１８の肩に向かって下向きに伸びているケープ又は覆い２２を示す。一方向排出弁２４がフード１２に一体化され、呼気の排出及び二酸化炭素と水分のような気体のフード１２からの排出を容易にし、同時に外部気体のここを通る流入は許さない。一方向排出弁は、気体、蒸気又は水分の一方向の流れの通過しか許さない適宜適切な弁、出口、又は流れ装置とすることができる。
【００２４】
図２において、矢印２６は、周囲気体が気体処理ユニット１４に入るところを示し、矢印２８は、濾過された空気が次いでフード１２に入るところを示し、更に矢印３０は排気（排出された空気）と水分とがフード１２から排出弁２４を経て出るところを示す。バイザー１６、頸部封鎖具２０、及び覆い２２の側面が見られる。
【００２５】
図３は、呼吸用フード１０と一般に３２で示された固いケース形式のその容器とを備えた呼吸用フード組立体１１を示し、これは、容器３２が開かれ呼吸用フード１０が出てきた後の状態である。このとき、呼吸用フード１０は、着用及び使用のために完全に準備される。容器３２は、前カバー３４及び後カバー３６を備える。
【００２６】
カバー３４及び３６は、使用者２２により着用される呼吸用フード１０の部品ではないが、これらは、在庫寿命を保証し長くするために呼吸用フード１０を囲む保護ケースを形成する容器３２を形成し重要である。選択的に呼吸用保護具に使用される形式の濾過器は湿度に敏感であるため、水分の侵入を防止する気体不透過性の封鎖が形成される。容器３２は、容器３２の部品であるその前ハンドル３８及び後ハンドル４０のいずれかを使用して持ち運ぶことができる。ハンドル３８及び４０は、容器３２を開くためにも使用され、これらは以下説明されるように気体処理ユニット１４を自動的に活性化させる。更に、容器３２は、後で明らかになるであろうように、気体処理ユニット１４を活性化させる際に重要な役割を演ずる。
【００２７】
図４Ａ及び４Ｂは、軽量かつ小型の呼吸用フィルター組立体１１が、どのようにして使用者１８により携帯用として容易に運ばれるか（図４Ａ）、或いは書類カバン４４の中に適合されるか（図４Ｂ）を示す。図４Ａに示されるように携帯用として運ばれる場合は、組立体１１は、運搬用補助ストラップ４２を取り付けるためのリング（図示せず）又は同等品を備えることができる。呼吸用フィルター組立体１１は、典型的な小さい書類カバン４４のある部分内に適合することが望ましい。同様に、呼吸用フィルター組立体１１をパース又はバックパック（図示せず）で運ぶことができる。
【００２８】
呼吸用フード組立体１１の容易な運搬及び小型の貯蔵の特徴は、使用者１８に呼吸用フード１０の即時利用可能性を提供する点で重要である。これらの特徴は、気体処理ユニット１４の自動活性化（後述）及び簡単な着用と共に、呼吸用フード１０の数秒以内における完全使用を許す。迅速な使用は使用者１８の健康に、又は生き残りに対しても決定的である可能性がある。
【００２９】
図５において、矢印４６は、気体の流れる経路を示す。気体は、まず、気体処理ユニット１４を入れたハウジング５０の開口４８を通って気体処理ユニット１４に入る。開口４８は、前カバー３４が外され又は取り除かれると直ちに環境に暴露される。ワッシャー５２がハウジング５０と到来気体を濾過する濾過器５４との間の封鎖を提供する。濾過器５４は、粒子、有毒／有害な気体、微細噴霧、及びエアゾールのような有害物質を濾過するための本技術で知られる適宜適切な濾過器である。濾過器５４は、ワッシャー５５によりベース５６に対して封鎖される。マニホルド５８が、濾過された気体を、ベース５６の開口６０を経て戻るように分配する。次いで、濾過された気体は、取付具６４と開口６６とを経て動力作動式の送風機６２に入りそして出て行く。送風機６２は、ワッシャー６７によりハウジング５０に対し封鎖される。濾過された気体は、開口６６を通りフード１２に入る。フード１２は、取付具６４と取付具６５との間で気体処理ユニット１４に取り付けられる。ワッシャー５２、５５及び６７の全ては、適切な接着剤又はシリコン又はエポキシのようなその他の封鎖用コンパウンドにより交換可能である。
【００３０】
図５には、送風機６２に送電する電池６８も見られる。容器３２のカバー３４及び３６が、典型的にハンドル３８及び４０により開かれたとき、電力が自動的に送られる。ラッチ７０、トグル７２、及びスイッチ７４を使用する活性化機構が以下説明される。ラッチ７０は凹み７６内に座る（図６も参照）。送風機カバー７８がハウジング５０内に適合し、このカバーは気体処理ユニット１４の構成部品のデザインに柔軟性を加えるように他の形に作ることができる。
【００３１】
送風機６２がフード１２内に正の圧力を作り、頸部封鎖具２０が緩い場合又は使用者１８の運動のため開口部ができた場合でも、頸部封鎖具２０を経て気体が入ることを防ぎ、使用者１８に対する保護を改良する。送風機６２により作られた正の圧力は、フード１２が着用されたときにその中に気体が入ることを防ぎ、二酸化炭素及び水分のような（呼気を含み、これが使用者１８の快適さを改良する）排出気体の蓄積を防ぐ。
【００３２】
図６は呼吸用フード組立体の頂部の断面であり、送風機６２を活性化させる部品を示している。凹み７６内に頂部が適合したラッチ７０は、前カバー３４が開かれたときに作動させられる。カバー３４が呼吸用フード１０から離れるとラッチ７０が壊され、従ってこの実施例においては、呼吸用フード１０が操作されると、呼吸用フード１０の作動は元に戻すことができない。前カバー３４が外され又は取り去れると、ラッチ７０が外向きに引かれ、これによりスイッチ７４を作動させるトグル７２が引かれ、このため、電池６８により送電される送風機６２に送電する。
【００３３】
図７は、呼吸用フード組立体１１の側方断面図であり、カバー３４と３６との間に折り畳まれたフード１２を示している。折畳み式のフード１２の密集状況、及び取付具６４と６５とによる気体処理ユニット１４へのフード１２の取付けが示される。
【００３４】
呼吸用フード１０を使用するために、容器３２のカバー３４及び３６が分離され／取り外しされ取り去れる。カバー３４及び３６はもはや不要である。前述のように、これが送風機６２を活性化させ、気体処理ユニット１４及び呼吸用フード１０を完全な作動状態にする。このとき、頸部封鎖具２０は使用者１８の頭の上方で引っ張られる。他に必要な操作はない。呼吸用フード１０を後ろ向き又は側方に着用したとき、即ちバイザー１６が眼の正面にない場合でも、使用者１８は保護される。更に、フード１２、又はその十分に大きな部分を透明又は半透明な材料で作り、使用者１８に合理的な可視性を提供することができる。或いは、フード１２は、より適切になるように容易に調整することができる。送風機６２により作られたフード１２内の正の圧力が、フード１２の調整中の、望ましくない気体の進入を防止する。従って、呼吸用フード１０は、操作訓練なしに、緊張時においても、容易に操作され使用される。
【００３５】
約３歳から寸法の大きい成人までの年齢の未訓練の人が、粒子、微細な噴霧又はエアゾールを含んだ有毒又は有害な気体に突然暴露された場合に、頭部及び頸部を保護するため及び加圧され浄化された空気を供給するために、本発明による装置に容易に接近できこれを使用できることが認められる。
【００３６】
図８は、幼児９０が本発明を使用する別の実施例を示す。幼児９０の首の周りに頸部封鎖具を適用することは危険であり、そこで、ここでは、バイザー９４を有するフード９２が、幼児９０の頭部と上半身の上に適合するようにデザインされた。幼児９０の腕は完全にフード９２内にあり（この選択は図示されない）、或いは、フード９２が幼児９０の胴部の周りで閉じられたとき形成される側面９６及び９７から密閉状態で突き出ることができる。
【００３７】
図９は、図９に示された別の実施例を幼児９０の胴部の周りでどのように閉鎖するかの一つの選択肢を示す。幼児の胴部用に適した（頸部封鎖具２２と類似の）弾性封鎖具のような適宜適切な閉鎖手段を使うことができるが、典型的には、ＶＥＬＣＲＯＴＭとして知られたフックとループ形式の留め具が最も都合がよい。フック９８を有する部分と、ループ９９を含んだ部分９９とが示される。フック部分９８とループ部分９９とは逆にすることができる。この配列は、頸部の損傷に悩む人々に対しても適切である。
【００３８】
図１０は別の実施例を示し、これにおいては、呼吸装置は箔又は積層の袋１１０のような可撓性容器内に収容される。袋１１０は、呼吸用フード１０を保護するように気体不透過性材料から作られ、そして好ましくは同様に機械的な保護を提供する材料から作られる。この実施例の自動活性化は種々の手段により、例えば袋１１０の開口の縁１１４又は裂けたリボンなどと関節式に繋がれたスイッチ７４（図６）（又は図１２及び１３に示されたスイッチ１３６）のようなスイッチを作動させることにより活性化させることができる。
【００３９】
限定するわけではないが、呼吸用フード１０が着用前に頸部封鎖具２２を引くことにより活性化されるこの実施例の幾つかの変更例が可能であることを理解すべきである。
【００４０】
図１１は包装時の配列を示し、これにおいては、呼吸用フード１０は、箔、積層体又はプラスチックの袋１１８のような可撓性容器内に収容され、この袋は、呼吸用フード１０に対する機械的保護を提供する一般に１２０で示された外側の強固な容器内に更に収容される。外側容器１２０は、強固なケース、丈夫な袋、又はその他の適切な容器とすることができる。この実施例においては、袋１１８は機械的保護を提供する必要はないが、それでも、気体不透過性材料で作られることが好ましい。頂部カバー１２２及び底部カバー１２４は、機械式のような適宜適切な手段により、又は感圧接着剤などにより一緒に保持することができる。
【００４１】
図１２は一般に１２６で示された別の呼吸用フード組立体の分解図であり、一般に１２８で示された別の気体処理ユニットの内部部品を強調して示している。この実施例においては、一般に１３０で示された呼吸用フードの活性化は可逆的であり、即ち、気体処理ユニット１２８の作動を停止させそしてこれを将来の使用のために保存することが可能である。これは、例えば、呼吸用フード１３０が偶然作動され又は使用者１８が有毒環境から逃げ出したがそこに戻ることが必要な場合などに有用である。
【００４２】
組立体１２６が包装された状態にあるとき（図１３に最もよく見られる）、典型的に底部カバー１３４と一体の活性化ピン１３２が、スイッチ１３６を備えた気体処理ユニット１２８内に進入する。底部カバー１３４から呼吸用フード１３０を外し又は取り除くことによりピン１３２がスイッチ１３６から外れ、これによりスイッチ１３６が作動する。ピン１３２は再挿入が可能であり、これによりスイッチ１３６を再圧縮し気体処理ユニット１２８の送風機５４を停止させ呼吸用フード１３０の作動を停止させることができる。
【００４３】
図１２に示されるように、カバー１３４及び１３８を開くことを助けるためにカバー１３８にリップ１４６がある。気体処理ユニット１２８を水分／湿度などから保護するために、気体不透過性材料であることが好ましい覆い１４８がカバー１３８に隣接し、そしてその周囲でカバー１３４に取り付けられる。覆い１４８を容易に折り返せるようにタブ１５０が設けられる。カバー１３４にハンドル１５２が一体化され、これがリップ１４６と共に組立体１２６を掴み易くする。ハンドル１５２及びリップ１６４は、カバー１３４及び１３８を開き易くするためにも使用される。
【００４４】
図１３は、活性化機構の部品である再挿入可能なピン１３２に着目した気体処理ユニット１２８の頂部の断面を示す。ピン１３２はカバー１３４と一体化されているため、カバー１３４を外し又は取り去ることによりピン１３２がスイッチ１３６から外される。従って、送風機６２が活性化され、このとき、気体処理ユニット１２８及び呼吸用フード１３０は完全作動状態になる。
【００４５】
図１４Ａ及び１４Ｂは、小型犬１６０（図１４Ａ）及び大型犬（図１４Ｂ）で示された動物用として適している。小型犬１６０については、幼児用として上述されたフック及びループ閉鎖手段が適している。大型犬１６２については、成人使用者１８用の弾性の頸部封鎖具２０のような封鎖用手段が適している。動物用では、バイザー１６８及び１７０を有するフード１６４及び１６６は、人とは異なる幾つかの形式及び寸法の差、及び形式及び寸法に依存した動物間の形式及び寸法の差を必要とするでろう。非常に小型の動物、例えば荒地ネズミ（図示せず）の場合は、１匹又は複数匹の動物を完全にフード１６４；１６６内に置くことができる。
【００４６】
さて、図１５Ａないし１５Ｃを参照すれば、本発明による保護フードの別の実施例が示される。一般に１７０で示されたフードが下方から、即ちフードが下向きでかつカラー及び頸部封鎖具１７２が上向きの状態で図示される。気体処理ユニット１７４は、図１の実施例に関連して説明されたと同様にフードに取り付けられる。図１５Ｃに見られるように、気体処理ユニット１７４は、動力作動式の送風機を停止させるためのスイッチ組立体１７８を備える。スイッチ組立体１７８は、安全つかみ受容器１８４内に突き出ているトグル１８２を備える。前記プランジャー１８２、は通常はいわゆる「オン」位置、即ち送風機の活性化位置に強制される。
【００４７】
スイッチ組立体の安全掴み受容器１８４内にスナップ係合するようにされたプラグ形式の安全つかみ１８８が、気体安全つかみ受容器１８４と実質的に向かい合った位置において、カラー１７２に固定取付けされる。
【００４８】
プラグ１８８が安全つかみ受容器１８４内に係合されたときは、トグル１８２はいわゆる「オフ」位置、即ち送風機が停止する位置に動かされ、これにより電池の電力を節約しかつ濾過用ユニットの寿命を延ばす。しかし、この配列の重要な特徴は、プラグ１８８が安全掴み受容器１８４内に係合されたとき（図１５Ｂ）、カラー１７２の向かい合った側面が互いに組み合わせられフードを着用できないこと及び始動用ヘッドを挿入する開口が遮られることである。この配列は、気体処理ユニット１７４の活性化を確かめることなくフードを偶発的に着用することを防ぎ有用である。
【００４９】
呼吸用フード１７０がその輸送ケース（図示せず）内に受け入れられたとき、ケースと一体にされ又はケースに取り付けられたプラグであって、受容器１７４内に突き出てトグルをオフ位置に動かすようにようにされたプラグがある。しかし、この位置においてフードの取出しと着用とを容易にするために、プラグがスナップ形式ではないことが普通である。
【図面の簡単な説明】
【００５０】
【図１】使用者により着用されている本発明の一実施例による呼吸用フードの正面図である。
【図２】図１の呼吸用フードの側面図である。
【図３】容器から取り出した呼吸用フードを示している一般的な分解図である。
【図４Ａ】携帯用装置として呼吸用フードを運んでいる使用者を示す。
【図４Ｂ】書類カバン内の呼吸用フードを運んでいる使用者を示す。
【図５】気体処理ユニットを通る気体流路も示している呼吸用フード組立体の詳細な等角分解図を示す。
【図６】活性化機構を示している呼吸用フード組立体の頂部の断面図である。
【図７】気体処理ユニットに続く折り畳まれたフードを示している呼吸用フード組立体の側方断面図である。
【図８】幼児により使用される呼吸用フードの別の実施例の正面図である。
【図９】密閉及び封鎖用手段を示している図９の実施例の背面図である。
【図１０】可撓性容器から取り出す途中の呼吸用フードを示している別の実施例である。
【図１１】外側ケース内に可撓性容器を備えている包装を示している呼吸用フードの別の実施例である。
【図１２】再挿入可能な活性化機構を有する別の実施例の分解図である。
【図１３】再挿入可能な活性化機構に主眼を置いた別の実施例の気体処理ユニットの頂部断面である。
【図１４Ａ−１４Ｂ】異なった閉鎖用手段を示している犬用の呼吸用フードの別の実施例の側面図である。
【図１５Ａ−１５Ｃ】作動停止機構の取り付けられた本発明による呼吸用フードの別の実施例を示す。
【図１】
2005511260.tif 000003
【図２】
2005511260.tif 000004
【図３】
2005511260.tif 000005
【図４Ａ】
2005511260.tif 000006
【図４Ｂ】
2005511260.tif 000007
【図５】
2005511260.tif 000008
【図６】
2005511260.tif 000009
【図７】
2005511260.tif 000010
【図８】
2005511260.tif 000011
【図９】
2005511260.tif 000012
【図１０】
2005511260.tif 000013
【図１１】
2005511260.tif 000014
【図１２】
2005511260.tif 000015
【図１３】
2005511260.tif 000016
【図１４Ａ】
2005511260.tif 000017
【図１４Ｂ】
2005511260.tif 000018
【図１５Ａ】
2005511260.tif 000019
【図１５Ｂ】
2005511260.tif 000020
【図１５Ｃ】
2005511260.tif 000021
【手続補正書】
【提出日】平成16年2月9日(2004.2.9)
【手続補正１】
【補正対象書類名】特許請求の範囲
【補正対象項目名】全文
【補正方法】変更
【補正の内容】
【特許請求の範囲】
【請求項１】
可撓性材料で作られ、少なくも透明なバイザー部分が形成された気体不透過性のフード；濾過器及び空気を強制して濾過器を通過させかつフード内の正の圧力を作る動力作動式の送風器を有する気体処理ユニット；排出気体及び水分のフードからの排出を容易にするための一方向排出弁；及び使用者の身体部分上でフードを封鎖し確保するための封鎖用部分を具備し、容器内に緊密に受け入れられ更に自動的に作動状態に展開されるように設計され、容器が、呼吸用フードを作動状態に展開するための活性化機構の部分であり、このために、気体処理ユニットの活性化用スッチに関節式に連結された少なくも１個の作動用部材を備える正圧式呼吸用フード組立体。
【請求項２】
身体部分が使用者の頸部部分であり、封鎖部分が弾性材料で作られ頸部と組み合っているカラーである請求項１による呼吸用フード組立体。
【請求項３】
封鎖部分が、使用者の頭部の上方で容易に引かれかつフード着用後は使用者の頸部の周りに気密適合するようにデザインされた請求項１による呼吸用フード組立体。
【請求項４】
身体部分が使用者の胴部でありかつ封鎖部分が胴部と組み合いかつ封鎖するラップである請求項１による呼吸用フード組立体。
【請求項５】
封鎖用ラップが使用者の胴部上で弾性係合するようにされた請求項４による呼吸用フード組立体。
【請求項６】
呼吸用フードが動物用にも適する請求項１による呼吸用フード組立体。
【請求項７】
少なくも１個の活性化部材が再挿入可能であり、これにより動力作動式の送風機が作動停止される請求項１による呼吸用フード組立体。
【請求項８】
容器が前及び後のカバーを備え、少なくもその一方が気体処理ユニットの作動用スイッチに関節式に連結される請求項１による呼吸用フード組立体。
【請求項９】
前及び後のカバーが閉鎖位置になるように係合でき、この場合、呼吸用フード及び気体処置ユニットが容器内に気密に閉じ込められる請求項８による呼吸用フード組立体。
【請求項１０】
分離を容易にするために、前及び後のカバーの少なくも一方にハンドルが取り付けられる請求項８による呼吸用フード組立体。
【請求項１１】
貯蔵状態と作動状態とを有し、前記貯蔵状態において呼吸用フード及び気体処理ユニットが容器内に密閉して受け入れられ容器を開いた際に気体処理ユニットを自動的に活性化させる請求項１による呼吸用フード組立体。
【請求項１２】
容器が強固である請求項１による呼吸用フード組立体。
【請求項１３】
気体処理ユニットが、トグル部材を介して容器のある部分に結合された活性化用スイッチを備え、これにより容器を開くことがスイッチを自動的に活性化させる請求項１１による呼吸用フード組立体。
【請求項１４】
トグル部材が、ラッチによりカバー部材の一方に取り付けられる請求項１３による呼吸用フード組立体。
【請求項１５】
容器を開いた際にラッチが破壊する請求項１４による呼吸用フード組立体。
【請求項１６】
有毒の気体、粒子、微細噴霧、又はエアゾールからの保護が吸入からの保護である請求項１による呼吸用フード組立体。
【請求項１７】
有毒の気体、粒子、微細噴霧、又はエアゾールからの保護が接触からの保護である請求項１による呼吸用フード組立体。
【請求項１８】
気体処理ユニットの活性化が機械的手段により自動的である請求項１による呼吸用フード組立体。
【請求項１９】
組立体が、パース又は書類カバン内で容易かつ便利に運ばれ及び／又は使用者の近くに貯蔵される請求項１による呼吸用フード組立体。
【請求項２０】
組立体が標準の事務用書類カバン内に適合する請求項１による呼吸用フード組立体。
【請求項２１】
組立体が３歳以上の全てに適合する１サイズとしてデザインされた請求項１による呼吸用フード組立体。
【請求項２２】
フードが、幼児から大きい成人までの範囲のサイズの使用者に適合するようにデザインされた請求項１による呼吸用フード組立体。
【請求項２３】
フードが、頭部又は顔面の特徴とは無関係に使用者に適合するようにデザインされた請求項１による呼吸用フード組立体。
【請求項２４】
フードが、長髪を有し又はメガネを着用した使用者に適合するようにデザインされた請求項１による呼吸用フード組立体。
【請求項２５】
気体処理ユニットが呼吸用フードに固定される請求項１による呼吸用フード組立体。
【請求項２６】
気体処理ユニットが、濾過された空気を呼吸用フード内に強制しその中の圧力を上昇させる請求項１による呼吸用フード組立体。
【請求項２７】
送風機の作動を停止できかつそのとき呼吸用フードを将来の使用のために保存することができる請求項１による呼吸用フード組立体。
【請求項２８】
動力作動式の送風機のスッチ組立体の対応部分と組み合ったとき、送風機の作動を停止させかつフードの着用を防ぐ安全つかみが設けられる請求項２７による呼吸用フード組立体。
【請求項２９】
送風機組立体のスッチ組立体が作動停止用ラッチを備え、これが、前記スッチと組み合ったとき送風機を停止させ、更にフードの向かい合った側面を互いに付け、これによりフードの着用を防ぐ請求項２７による呼吸用フード組立体。
【請求項３０】
気体処理ユニットがフードの一部分に形成され、前記部分と向かい合ったフードの頸部部分にラッチが取り付けられ、これが送風機と組み合わせられたときその作動を停止させかつフードの着用を防ぐ請求項２７による呼吸用フード組立体。
【国際調査報告】
2005511260.tif 000022
2005511260.tif 000023
2005511260.tif 000024